(57)【要約】  工具（１０）が、ハウジング（１２）と、該ハウジングの該前方部分に隣接して回転可能に取りつけられたカラー（１６）と、該カラー（１６）の前方に提供されたサイドハンドル取付け区画と、該サイドハンドル取付け区画に取付けられたサイドハンドル（２０）と、該サイドハンドル取付け区画の前方に取付けられたチャック（２２）とを具備している。カラー（１６）の前方に取付けられたサイドハンドルを用いて、調節カラー（１６）への容易なアクセス及びカラー設定の容易な読み取りが達成されている。
2005512824.tif 000002
【特許請求の範囲】
【請求項１】
工具が：
ハンドル部分、モータ部分及び前方部分を備えたハウジングと；
該ハウジングの該前方部分に隣接して回転可能に取りつけられたカラーと；
該カラーの前方に提供されたサイドハンドル取付け区画と；
該サイドハンドル取付け区画に取付けられたサイドハンドルと；
該サイドハンドル取付け区画の前方に取付けられたチャックと；
を具備する工具。
【請求項２】
該カラーの回転が、該工具のトルク設定を変化させる、請求項１に記載の工具。
【請求項３】
該サイドハンドルが、該サイドハンドルを該サイドハンドル取付け区画に取付けるための環状取付け部分を含んでいる、請求項１に記載の工具。
【請求項４】
該サイドハンドル取付け区画が、円筒状外表面を備えたキャップにより形成されている、請求項１に記載の工具。
【請求項５】
該サイドハンドルが該キャップ周囲で調節可能に回転できる、請求項４に記載の工具。
【請求項６】
工具用サイドハンドル装置が：
後方部分と、中間部分と、前方部分とを備えたギヤケースカバーと；
該ギヤケースカバーの該中間部分をおおって回転可能に取付けられたカラーと；
該カラーの前方で、該ギヤケースカバーの該前方部分に取付けられたキャップ部材と；
該ギヤケースカバーの該前方部分から延伸し、かつ該キャップ部材の前方端部を貫通して延伸しているスピンドルと；
該カラーの前方で、該キャップ部材の外表面に取付けられたサイドハンドルと；
該キャップ部材の前方で、該スピンドルに取付けられたチャックと；
を具備する工具用サイドハンドル装置。
【請求項７】
該ギヤケースカバーの該後方部分にドリルハウジングを取りつけることができるようになっている、請求項６に記載の工具用サイドハンドル装置。
【請求項８】
該キャップ部材が、ねじにより該ギヤケースカバーに取りつけられている、請求項６に記載の工具用サイドハンドル装置。
【請求項９】
該カラーが、該カラーの回転により該工具のトルク設定を変更できるようになっている、請求項６に記載の工具用サイドハンドル装置。
【請求項１０】
ドリルドライバが：
ハウジングと；
該ハウジングに取付けられた後方部分、中間部分及び前方部分を備えたギヤケースカバーと；
該ギヤケースカバーの該中間部分周囲に回転可能に取付けられたトルク調節カラーと；
該ギヤケースカバーの前方部分から延伸しているスピンドルと；
該ギヤケースカバーの該前方部分に取付けられたキャップであって、該スピンドルが該キャップ部材の前方端部を貫通している、キャップと；
該スピンドルに取付けられたチャックと；
該回転カラーの前方で該キャップ部材に取付けられているサイドハンドルと；
を具備するドリルドライバ。
【請求項１１】
該サイドハンドルが、該サイドハンドルを該キャップ部材の外表面と接続するための環状取付け部分を含んでいる、請求項１０に記載のドリルドライバ。
【請求項１２】
該ドリルドライバのトルク設定の調節をするために、該トルク調節カラーが回転可能である、請求項１０に記載のドリルドライバ。
【請求項１３】
該環状取付け部分により、該サイドハンドルが該キャップ部材の該外表面周囲を３６０°回転できるようになっている、請求項１１に記載のドリルドライバ。
【請求項１４】
該キャップ部材がねじにより該ギヤケースカバーに取りつけられている、請求項１０に記載のドリルドライバ。
【発明の詳細な説明】
【技術分野】
【０００１】
本発明は、工具に関するものであって、特に、サイドハンドル装置を備えた、ドリル、ドライバ、ハンマードリルに関する。
【背景技術】
【０００２】
通常のドリルあるいはドライバは、ハウジングと、スピンドルと、ドリル・ビットあるいはねじ回しを保持するためのチャックとを含んでいる。ハウジングは、通常電動モータの入っている部分と、ドリルを保持するためのピストル状グリップと、穴をあけ、かつねじ等を挿入あるいは取りはずすための、ドリル・ビット又はねじ回しにトルクを供給するためにドリルを駆動あるいは停止するためのトリガスイッチとを含んでいる。しかしながら、ピストル状グリップだけでドリルに十分なてこ作用を与えることが困難であることが時にある。従って、ユーザが、ドリル又はドライバをてこ作用に使用する場合、両手を使用することができるようにサイドハンドルを含んだドリル又はドライバが開発されてきた。
【０００３】
ドリルの回転速度変更手段、又はドリル・ビット若しくはねじ回しに可変トルクを作用するための手段を含んでいるドリルあるいはドライバもある。これらのドリルは一般に異なる設定のために回転可能な回転カラー又は切換装置を含んでいて、ドリルを用いて行なう作業のタイプに応じてドリルの回転速度又はドリルのトルク設定が増減できるようになっている。しかしながら、回転速度変更手段か、又は可変トルクを作用する手段かを含んでいるドリルが、サイドハンドルをも含んでいる場合、サイドハンドルの取付けが、カラーを異なる設定に回転すること及び回転カラーにおける設定を読み取ることを困難なものとしている。
【発明の開示】
【発明が解決しようとする課題】
【０００４】
前述の欠点を考りょして、本発明はドリル又はドライバを提供することであって、ドリル又はドライバは、ハウジングと、該ハウジングの該前方部分に隣接して回転可能に取りつけられたカラーと、該カラーの前方に提供されたサイドハンドル取付け区画と、該サイドハンドル取付け区画に取付けられたサイドハンドルと、該サイドハンドル取付け区画の前方に取付けられたチャックとを具備している。カラーの前方に取付けられたサイドハンドルを用いて、調節カラーへの容易なアクセス及びカラー設定の容易な読み取りが達成されている。さらに、ハンドル取付け区画がチャックとほぼ同一サイズとなっているので、工業的に標準サイズの取付用カラーを備えたハンドルの使用が可能になっている。
【０００５】
本発明のさらなる適用範囲が後述する詳細説明により明瞭になるであろう。好適な実施の形態を表わしている詳細な説明及び特定な例は、単に説明用だけのものであって、本発明の範囲を限定することを意図しているものではないことは理解されるべきである。
本発明は詳細説明及び添付図面により完全に理解されるであろう。
【発明を実施するための最良の形態】
【０００６】
好適な実施の形態の以下の説明は、単なる特徴の例示であって、本発明、本発明の応用又は用途を限定するものではない。
【０００７】
図１は、ドリル又はドライバであってもよい本発明における工具１０を示めしている。図１に示めすように、工具１０は、ハウジング１２を含んでいる。ギヤケースカバー１４がハウジング１２に取りつけられていて、さらにカラー１６がカバー１４に回転可能に取りつけられている。キャップ１８はギヤケースカバー１４に固定的に取りつけられ、かつサイドハンドル２０を取りつける区画を提供するべくサイドハンドル取付け区画を形成している。チャック２２はキャップ１８の前方に取りつけられている。チャック２２は、ドリル・ビット又は他のタイプのビットを保持するために使用することができる。
ハウジング１２が、ピストル状グリップ２４と、工具を駆動あるいは停止するために使用するトリガスイッチ（図示されていない）とを含んでいる。ハウジング１２はバッテリパック２８を保持する広いベース２６も有している。ハウジング１２は電動モータ（図示されていない）を内蔵している。例示のハウジング１２はこれらの特徴を備えているが、従来技術において公知のいずれのハウジングが、本発明の範囲に影きょうを与えることなく使用されてもよい。
【０００８】
図２は、工具１０のサイドハンドル装置３０の斜視図である。工具１０のサイドハンドル装置３０は、ハウジング１２の前面部分に固定的に取り付けられているギヤケースカバー１４を含んでいる。スピンドル１２がカバー１４内に回転可能に支持されていて、スピンドルの端部の一方がカバー１４の前方端面を貫通して延伸している。カラー１６がカバー１４の外部に回転可能に取りつけられている。キャップ１８はカバー１４に取りつけられている。サイドハンドル２０はキャップ１８に取りつけられている。チャック２２はスピンドル３２に取りつけられていて、サイドハンドル装置３０が完結したことになる。
【０００９】
金属製のカバー１４は軸受サポートになっている。カバー１４は、ねじ等により穴４０を介してハウジング１２と固定的に接続される広いベース部分を形成している後方部分３４を備えている。カバー１４の中間部分３６は、キャップ１８の内部リブと係合するべく半径方向外向きに延伸しているフィン４２を備えている。カバー１４は中空内部４４を備えていて、その中空内部４４は、前面部分３８から後方部分３４へ延伸していて、スピンドル３２を収容するようになっており、スピンドル３２は、クラッチと、又は従来技術において公知なモータ駆動装置（図示されていない）のギヤアセンブリと係合することが可能になっている。カバー１４の前面部分３８はねじ穴４６を備えていて、キャップ１８がねじ等によりカバー１４に固定的に取りつけ可能になっている。
【００１０】
スピンドル３２の前方部分５０は、カバー１４の前方部分３８から延伸している。スピンドルの前方部分５０は、チャック２２が取りつけられるようになっている。チャック２２は従来技術において公知ないずれのタイプのものであってもよい。
【００１１】
カラー１６は、カバー１４の中間部分３６をおおう環状プラスチック部品である。カラー１６は回転可能であって、従来技術で公知なように工具のユーザが種々のトルクの設定を選択可能なようになっている。
【００１２】
好ましくは金属製のキャップ１８が、サイドハンドル取付け区画を形成する円筒状外表面５２を備えている。キャップ１８は、中空でカバー１４の前方部分３８を受け入れるようになっていて、さらにそこを貫通する開口部を含んでいて、スピンドル３２の前方部分５０がキャップ１８から外向きに延伸可能なようになっている。
【００１３】
サイドハンドル２０は、ラバー製又はプラスチック製グリップ５４を備えていて、ユーザが適切にグリップできるようになっている。サイドハンドルは、サイドハンドル２０をキャップ１８に取りつけるべくキャップ１８の外表面５２をおおって摺動する環状取付け部５６も含んでいる。
【００１４】
図３のおいて、組立時にスピンドル３２はカバー１４の中空部４４に設置され、カバー１４の前方部分３８から延伸していることが示めされている。カラー１６がカバー１４の中間部分３６をおおって取りつけられていて、その後方部分３４に対して差し込まれている。
【００１５】
図４において、キャップ１８が、前面部分３８をおおって取りつけられ、かつカバー１４の中間部分に取りつけられていて、さらに穴６０，４６を貫通して延伸するねじ５８によりカバー１４に取りつけられている。スピンドル３２はキャップ１８から外向きに延伸していて、チャック２２がスピンドル３２に取りつけられるようになっている。サイドハンドル２０は環状取付け部分５６によりキャップ１８の外表面５２に取りつけられる。
【００１６】
図５は、サイドハンドル装置３０の最終組立アセンブリを示めしている。サイドハンドル２０がカラー１６の前方に設置されている。このことにより、ユーザがカラー１６へ容易にアクセスすることを可能にしていて、カラー１６を容易に回転することができ、種々のトルク設定が達成でき、かつカラーの設定を容易に読みとることもできるようになっている。サイドハンドル２０は３６０°回転することもでき、ユーザはサイドハンドル２０の多くの異なる位置を選択することができる。とくに、サイドハンドル２０は、ユーザが右ききでも左ききでも操作できるように、あるいは工具１０を狭いスペースで使用することができるように位置決めすることができる。
【００１７】
図６は、本発明に使用されてもよい例示のクラッチ機構６２で示めしている。クラッチ機構６２は、クラッチ部材６４、係合部材６６及び調節機構６８を含んでいる。クラッチ部材６４は、第一リングギヤ７０の外径に固定され、かつそこから半径方向外向きに延伸している、環状リング構造体である。クラッチ部材６４は、第一リングギヤ７０の前面７４に形成されたカムクラッチ面７２を含んでいる。クラッチ部材６４の外径は、ハウジングの又はギヤケースカバーの中空キャビティの部分で回転するべく寸法化されている。例示のクラッチ面７２は、お互いに対して一連の傾斜面を形成するために配列された複数の頂部７６と底部７８とにより形成されるべく図示されている。しかしながら当業者においては、正弦状クラッチ面のような他のクラッチ面形状が採用されてもよいことは理解されるであろう。さらに第一リングギヤ７０とクラッチ部材６４とが一体部品（例えば一体成形）構造として図示されていたけれども、当業者においては他の構造であってもよいことが理解されるであろう。
【００１８】
例示の実施の形態において、係合アセンブリ６６がピン部材８０、フォロア・スプリング８２及びフォロア８４を含んでいる。ピン部材８０が、アクチュエータ・アパーチャ（図示されていない）にすべりばめするべく寸法化されている外径の円柱状ボデー部分８６を含んでいて、そのアクチュエータ・アパーチャはハウジング又はギヤケースカバー内に形成されている。ピン部材８０は先端部８８及びヘッド部分９０を含んでいる。先端部８８は調節機構８８と係合するべく形成され、かつ例示において、ピン部材８０のボデー部分８６の端部に形成され球面を形成している。ヘッド部分９０は、ボデー部分８６の先端部８８と対向する端部と接続されていて、さらにアクチュエータアパーチャにすべりばめするべく寸法化されている皿頭円柱体形状あるいはバレル形状となっている。従って、ヘッド部分９０は、ピン部材８０がアクチュエータ・アパーチャから前方に押出されることを防止している。
【００１９】
フォロア・スプリング８２は、アクチュエータ・アパーチャにすべりばめするべく寸法化されている外径の圧縮ばねである。フォロア・スプリング８２の前方端部はピン部材８０のヘッド部分９０と接触していて、一方フォロア・スプリング８２の他方の端部はフォロア８４と接触している。フォロア８４の端部９２は、円柱形状であって、かつフォロア・スプリング８２の内径にすべりばめするべく寸法化されている。この点に関して、フォロア８４の端部９２はスプリングフォロアとして作用していて、フォロア・スプリング８２が圧縮される場合曲がることを防止するようになっている。フォロア８４は、円柱状ボデー部分９６と、先端部９８と、フランジ部分１００とを備えた、フォロア部分９４も含んでいる。ボデー部分９６はアクチュエータアパーチャにすべりばめするべく寸法化されている。先端部９８は、クラッチ面７２と係合するべく形成されていて、かつ例示において、フォロア８４のボデー部分９６の端部に形成され、そして球面形状になっている。フランジ部分１００はボデー部分９６と端部９２との間の交差部分に形成されている。フランジ部分１００はほぼ平たんで、かつフォロア・スプリング８２により作用される付勢力を受けるべく形成されている。
【００２０】
調節機構６８は、調節リング構造体１０２とカラー１６とを含んでいる。調節リング構造体１０２は、ほぼ中空円筒形状であって、ギヤケースカバー１４周囲に差し込めるべく寸法化されている。調節リング構造体１０２は、調節プロフィール１０６が形成されている環状面１０４を含んでいる。フォロア８４と、調節機構６８に形成されている複数のまわり止め１０８とは、調節プロフィール１０６の位置を維持するように調節構造体１０２の自由回転を防止するべく、かつ工具１００のユーザに調節プロフィール１０６の触覚的徴候を提供するべく協働している。
【００２１】
調節用カラー１６は、調節リング構造体１０２の外面と連結されていて、かつ複数の隆起したグリップ面１１０を含んでいて、工具１００のユーザが、調節プロフィール１０６を調節するためにカラー１６及び調節リング構造体１０２を適切に回転できるようになっている。
【００２２】
クラッチトルクの大きさは調節機構６８により指令される。調節機構６８の位置決めが、アクチュエータアパーチャにおいてピン部材８０を後方に向けて押しつけ、したがってフォロア８２が圧縮され、かつクラッチフォースが発生される。クラッチフォースは、フォロア８４のフランジ部分１００に伝達され、フォロア８４の先端部９８がクラッチ面７２と係合し、かつクラッチトルクが発生されるようになっている。フォロア８４の先端部９８をクラッチ面７２における底部の一つに位置決めすることは、クラッチトルクの大きさが第一中間トルクを超過した場合に、第一リングギヤ７０のトランスミッションに対する回転を回避するべく作用している。しかしながら、第一中間トルクがクラッチトルクを超過した場合、第一リングギヤ７０はトランスミッションに対して回転可能になる。クラッチ面７２の形状に従って、第一リングギヤ７０の回転は、クラッチフォースがさらなる回転に抵抗するために十分な大きさに増加することを可能にしている。そのような状態において、第一中間トルクが消失した場合第一リングギヤ７０が反対方向に回転し、フォロア８４の先端部９８がクラッチ面７２の底部７８の一つと整列することを可能にしている。
【００２３】
工具１０の運転において、工具１０が穴あけと、その後における穴へのねじの取りつけとに使用される場合での二つのクラッチ設定間での変更が時に所望される。従って、調節機構６８を位置決めするために、調節機構６８はギヤケースカバーに対して回転されてもよい。本発明における調節機構６８は、調節構造体１０２及びカラー１６が３６０°の角度で回転可能であるように形成されている。従って、工具１０のユーザは、カラー１６を僅かに回転することによりクラッチの設定を最大設定値から最小設定値へ（又はその逆）と変更することができる。
【００２４】
本発明の説明は単に特徴を例示したものであって、本発明の原理を逸脱することのない変更は本発明の範囲内であることが意図されている。そのような変更は本発明の精神と範囲とを逸脱するものではない。
【図面の簡単な説明】
【００２５】
【図１】図１は、サイドハンドルを備えた工具の斜視図である。
【図２】図２は、工具用サイドハンドル装置の分解斜視図である。
【図３】図３は、サイドハンドル装置のカバーとカラーとスピンドルとの斜視図である。
【図４】図４は、サイドハンドル装置のカバーとカラーとスピンドルとキャップとの斜視図である。
【図５】図５は、工具用サイドハンドル装置の斜視図である。
【図６】図６は、工具用のカラーとクラッチとの分解斜視図である。
【図１】
2005512824.tif 000003
【図２】
2005512824.tif 000004
【図３】
2005512824.tif 000005
【図４】
2005512824.tif 000006
【図５】
2005512824.tif 000007
【図６】
2005512824.tif 000008
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
工具が：
ハンドル部分、モータ部分及び前方部分を備えたハウジングと；
該ハウジングの該前方部分に隣接して回転可能に取りつけられたカラーと；
該カラーの前方に回転可能に取りつけられたハンドル取付け区画と；
該ハンドル取付け区画の前方に取付けられたチャックと；
を具備する工具。
【請求項２】
該カラーの回転が、該工具のトルク設定を変化させる、請求項１に記載の工具。
【請求項３】
ハンドルであって、該ハンドルを該ハンドル取付け区画に取付けるための環状取付け部分を含んでいるハンドルをさらに具備する、請求項１に記載の工具。
【請求項４】
該ハンドルが、該キャップ周囲を調節可能に回転可能となっている、請求項３に記載の工具。
【請求項５】
該ハンドル取付け区画が円筒状キャップ部材を含んでいる、請求項１に記載の工具。
【請求項６】
該ハンドル取付け区画が環状部材を含んでいる、請求項１に記載の工具。
【請求項７】
該ハウジングが、後方部分、中間部分及び前方部分を備えたギヤケースカバーを含んでいて、該カラーが該ギヤケースカバーの該中間部分をおおって回転可能に取りつけられている、請求項１に記載の工具。
【請求項８】
該ハンドル取付け区画が、該カラーの前方で該ギヤケースカバーの該前方部分に備えられている、請求項１に記載の工具。
【請求項９】
該ギヤケースカバーの前方部分から延伸し、かつ該ハンドル取付区画の前方端部を貫通して延伸しているスピンドルをさらに具備する、請求項８に記載の工具。
【請求項１０】
該チャックが、該ハンドル取付け区画の前方で該スピンドルに取付けられている、請求項９に記載の工具。
【請求項１１】
該ギヤケースカバーの該後方部分がドリルハウジングに取付けられている、請求項７に記載の工具。
【請求項１２】
該ハンドル取付け区画が、ねじにより該ギヤケースカバーに取付けられたキャップ部材を含んでいる、請求項７に記載の工具。
【請求項１３】
該カラーの回転が、該工具のトルク設定を変更する、請求項１に記載の工具。
【国際調査報告】
2005512824.tif 000009